(57)【特許請求の範囲】
【請求項１】
塗料ノズルの噴出口を開閉する弁扞と、該弁扞と摺動自由に嵌合してトリガの引き動作により後退する管体と、前記弁扞の後端に形成されたねじ扞に螺入量調節可能に螺合された調節扞と、前記管体に固定されて該管体の後退により霧化エアー弁を開放した後に前記調節扞を押圧することにより前記塗料ノズルの前記噴出口を開く第１の弁体と、該第１の弁体の前方において前記管体に摺動自由に嵌合して該管体の後退途中に該管体に形成された突起に係合してパターンエアー弁を開放する第２の弁体と、を備え、前記ねじ扞と前記調節扞との前記螺入量を調節することにより塗料の吐出開始までの前記トリガの引き量が調節されるようにして、霧化エアーのみが噴出するときの塗料の吐出量ならびに霧化エアーに加えてパターンエアーが噴出するときの塗料の吐出量を調節可能としたエアースプレイハンドガン。
【発明の詳細な説明】
【０００１】
【発明の属する技術分野】
本発明は、被塗装物の塗装面積が大きい場合でも小さい場合でもほぼ均一な膜厚で塗装し、しかも、飛散して無駄になる塗料を少なくすることができるエアースプレイハンドガンに関する。
【０００２】
【従来の技術】
従来、本件特許出願人の出願にかかる特開２００１−１２９４４４号公報に記載されているとおりに、トリガを引く量を次第に大きくすることによって、霧化エアーの噴出、塗料の少量吐出、パターンエアーの噴出と塗料の大量吐出を順次に行うようにしたエアースプレイハンドガンが公知である。
【０００３】
ここで、霧化エアーとは塗料ノズルから吐出する塗料に吹き付けられてこれを霧化して丸いパターンで噴出させるエアーであり、パターンエアーとは霧化して面積の小さい丸パターンで噴出する塗料流に両側から吹き付けられて偏平に広げることにより、面積の大きい被塗装物を能率良く塗装するためのエアーである。
【０００４】
【発明が解決しようとする課題】
上記した従来のエアースプレイハンドガンは、トリガを引く量を小さくすることにより、塗料の噴射パターンを面積の小さい丸パターンとし、小物やスリット状被塗装物を塗料の無駄を少なくして塗装することができるが、組み付け時に部品の寸法誤差が累積して丸パターン時の吐出量にばらつきが生じるのを避けることができなかった。
【０００５】
【課題を解決するための手段】
このような課題を解決するための手段として、本発明は、塗料ノズルの噴出口を開閉する弁扞と、その弁扞と摺動自由に嵌合してトリガの引き動作により後退する管体と、弁扞の後端に形成されたねじ扞に螺入量調節可能に螺合された調節扞と、管体に固定されてその管体の後退により霧化エアー弁を開放した後に調節扞を押圧することにより塗料ノズルの噴出口を開く第１の弁体と、その第１の弁体の前方において管体に摺動自由に嵌合してその管体の後退途中にその管体に形成された突起に係合してパターンエアー弁を開放する第２の弁体と、を備え、前記ねじ扞と前記調節扞との前記螺入量を調節することにより塗料の吐出開始までの前記トリガの引き量が調節されるようにして、霧化エアーのみが噴出するときの塗料の吐出量ならびに霧化エアーに加えてパターンエアーが噴出するときの塗料の吐出量を調節可能とした。
【０００６】
【作用】
トリガを少し引くと管体とともに第１の弁体が後退して霧化エアー弁が開き、霧化エアーが噴出するのに引き続いて弁扞の後端が調節扞に当たって少し後退させることにより弁扞が後退して塗料ノズルから塗料が少量吐出し霧化エアーにより丸パターンで霧化される。
【０００７】
ここで、調節扞をねじ扞に対して回転させると、第１の弁体の後端と調節扞の前面との間隔が調節され、霧化エアーの噴出後塗料の吐出開始までのトリガの引き量が調節される。
【０００８】
さらに、トリガを引くと第２の弁体が後退してパターンエアー弁が開いてパターンエアーが噴出するとともに塗料ノズルから多量の塗料が噴出する。
【０００９】
【発明の実施の形態】
以下、本発明の一実施の形態のエアースプレイハンドガンを添付図面に基づいて説明する。
図１はガン本体２に軸４によって支持されたトリガ６が大角度引かれた状態の概要を示し、塗料ノズル８、霧化エアー弁１０、パターンエアー弁１２、が総て全開になっていて、塗料ノズル８から噴出した塗料がその回りに設けられた霧化エアーノズル１４から噴出するエアーにより霧化エアーにより霧化され、上下にもうけられたパターンエアーノズル１６から噴出するエアーにより水平方向に偏平なパターンとなるようになっている。
【００１０】
図２〜図５は本実施の形態の作動の順序を示す概要図である。
図２はトリガ６が全く引かれていない状態であって、要部の拡大図である図６とともにその構成を説明する。
【００１１】
弁扞１８にはトリガ６が係合するリング２０と管体２２が摺動自由に嵌合しており、その管体２２の後端部には霧化エアー弁１０を開閉する第１の弁体２４がかしめ付けられているとともに、長さ方向の中央部に鍔状の突起２６が形成され、その突起２６と第１の弁体２４との間にばね３０の付勢によりパターンエアー弁１２を閉じる第２の弁体２８が摺動自由に嵌合されている。
【００１２】
弁扞１８の後部にはばね受け３２が摺動自由に嵌合されており、ばね３４の付勢により第１の弁体２４に密着している。
【００１３】
なお、ばね受け３２は必ずしも必要ではなくばね３４で直接第１の弁体を押すようにしてもよい。
【００１４】
弁扞１８の後端にはねじ扞３６が突設されてそのねじ扞３６に調節扞３８がねじ込み量調節可能に螺合されており、ばね４０の付勢により調節扞３８とともに弁扞１８を塗料ノズル８に押し付けて閉塞するようになっている。
【００１５】
次に、図３に示すように、トリガ６を少し引くと管体２２が後退して第１の弁体２４の後退により霧化エアー弁１０が開き、管路４２を通って霧化エアーノズル１４から噴出するとともにばね受け３２の後面が調節扞３８の前面に近接する。
【００１６】
図４に示すように、トリガ６をもう少し引くと、ばね受け３２が調節扞３８に当たってこれを押すことにより弁扞１８が少し後退して塗料ノズル８が開き、少量の塗料が吐出して霧化エアーノズル１４から噴出するエアーにより霧化され、図７のＡに示すような小さな丸パターンで噴出する。
【００１７】
図５に示すように、さらに、トリガ６を引くと管体２２の突起２６が第２の弁体２８を押してパターンエアー弁１２が開き、管路４４を通って、上下両側のパターンエアーノズル１６からパターンエアーが噴出し、弁扞１８のさらなる後退により吐出量が増加した塗料が図７のＢに示すような偏平なパターンで噴出する。
【００１８】
ここで、調節扞３８を回転させると、その調節扞３８の弁扞１８に対する位置が移動し、ばね受け３２が調節扞３８に当たる位置を適宜に調節することができ、丸パターンで噴出する際の塗料の量を適宜に定めることができる。
【００１９】
なお、図６に示すように、トリガ６を引く前において、ばね受け３２と調節扞３８の間隔ａを突起２６と第２の弁体２８との間隔ｂより大きくすると、ばね受け３２が調節扞３８に当たって塗料が吐出する前に突起２６が第２の弁体２８に当たってパターンエアー弁１２が開くため、塗料は丸パターンで噴出することなく、初めから偏平なパターンで噴出する。
【００２０】
本発明は上記実施の形態に何ら限定されるものではなく、本発明の特許請求の範囲を逸脱しない範囲において様々な態様で実施し得る。
【図面の簡単な説明】
【図１】本発明のエアースプレイハンドガンの概要を示す断面図である。
【図２】トリガを引く前の状態の要部の断面図である。
【図３】トリガを少し引いて霧化エアーを噴出する状態の要部の断面図である。
【図４】トリガをもう少し引いて塗料を少量噴出する状態の要部の断面図である。
【図５】トリガをさらに引いて塗料を大量に、また、霧化エアートパターンエアーを噴出する状態の要部の断面図である。
【図６】要部の拡大断面図である。
【図７】塗料とエアーの噴出状態とその噴出パターンを示す断面図である。
【符号の説明】
２：ガン本体
６：トリガ
８：塗料ノズル
１０：霧化エアー弁
１２：パターンエアー弁
１４：霧化エアーノズル
１６：パターンエアーノズル
１８：弁扞
２２：管体
２４：第１の弁体
２６：突起
２８：第２の弁体
３６：ねじ扞
３８：調節扞
【図１】
0004803623.tif 000002
【図２】
0004803623.tif 000003
【図３】
0004803623.tif 000004
【図４】
0004803623.tif 000005
【図５】
0004803623.tif 000006
【図６】
0004803623.tif 000007
【図７】
0004803623.tif 000008